(57)【特許請求の範囲】
【請求項１】
香箱および時計用ゼンマイを備える時計用動力装置と、
前記時計用動力装置によって駆動する歯車と、を備え、
前記時計用ゼンマイは、前記香箱内に収容され、内端部が香箱真に固定され、前記香箱真の周囲に巻回し、外端部が前記香箱の内壁に係合し、
前記内端部から連続し、前記時計用ゼンマイが解放状態にある場合の前記香箱真から１巻目の部分を少なくとも含む第１部分と、
前記第１部分から前記外端部まで連続する第２部分と、を備え、
前記第１部分の前記香箱真の軸方向の幅寸法は、前記第２部分の前記軸方向の幅寸法よりも大きくされ、
前記香箱は、前記解放状態において前記第１部分が配置される第１箱部分、および、前記解放状態において前記第２部分が配置される第２箱部分を有し、
前記第１箱部分の前記軸方向の寸法は、前記第２箱部分の前記軸方向の寸法よりも大きくされ、
前記第２箱部分および前記歯車は、前記軸方向で重なっている
ことを特徴とする時計用ムーブメント。
【請求項２】
請求項１に記載の時計用ムーブメントにおいて、
前記第１部分の前記幅寸法は一定である
ことを特徴とする時計用ムーブメント。
【請求項３】
請求項１に記載の時計用ムーブメントにおいて、
前記第１部分は、前記内端部から遠ざかるに従って、前記幅寸法が小さくなるように形成されている
ことを特徴とする時計用ムーブメント。
【請求項４】
請求項１から請求項３のいずれか１項に記載の時計用ムーブメントにおいて、
前記第２部分の前記幅寸法は一定である
ことを特徴とする時計用ムーブメント。
【請求項５】
請求項１から請求項４のいずれか１項に記載の時計用ムーブメントにおいて、
前記時計用ゼンマイの材料は、ニッケルコバルト合金である
ことを特徴とする時計用ムーブメント。
【請求項６】
請求項１から請求項４のいずれか１項に記載の時計用ムーブメントにおいて、
前記時計用ゼンマイの材料は、ステンレス鋼である
ことを特徴とする時計用ムーブメント。
【請求項７】
請求項１から請求項６のいずれか１項に記載の時計用ムーブメントを備える
ことを特徴とする時計。
【発明の詳細な説明】
【技術分野】
【０００１】
本発明は、時計用ゼンマイ、時計用動力装置、時計用ムーブメントおよび時計に関する。
【背景技術】
【０００２】
機械式時計においては、動力源として、香箱および香箱内に収容されたゼンマイなどを備える動力装置が一般的に用いられている（例えば、特許文献１参照）。
特許文献１の従来技術である機械式時計が備えるゼンマイは、全長に亘って一定の幅寸法（香箱真の軸方向の寸法）で形成されている。
【先行技術文献】
【特許文献】
【０００３】
【特許文献１】特開２０１５−１７９０１４号公報
【発明の概要】
【発明が解決しようとする課題】
【０００４】
ゼンマイは、香箱内に収容された状態では、内端部が香箱真に固定され、香箱真の周囲に巻回し、外端部が香箱の内壁に係合される。そして、時計の使用時に、巻締めと巻戻しが繰り返される。ここで、内端部から連続し、ゼンマイが解放状態にある場合の香箱真から１巻目の部分は、他の部分と比べて、巻締めおよび巻戻しに伴う変移量が大きいため、応力変化が大きく、疲労破壊しやすいという問題がある。
【０００５】
本発明の目的は、疲労破壊しにくく、かつ、香箱の体積を小さくできる時計用ゼンマイ、時計用動力装置、時計用ムーブメントおよび時計を提供することにある。
【課題を解決するための手段】
【０００６】
本発明の時計用ゼンマイは、香箱内に収容され、内端部が香箱真に固定され、前記香箱真の周囲に巻回し、外端部が前記香箱の内壁に係合する時計用ゼンマイであって、前記内端部から連続し、前記時計用ゼンマイが解放状態にある場合の前記香箱真から１巻目の部分を少なくとも含む第１部分と、前記第１部分から前記外端部まで連続する第２部分と、を備え、前記第２部分は、前記香箱真の軸方向の幅寸法が一定であり、前記第１部分の前記軸方向の幅寸法は、前記第２部分の前記幅寸法よりも大きいことを特徴とする。
【０００７】
第２部分は、例えば、耐久性やトルクの基準を満たす最小の幅寸法で、一定の幅で形成されている。
本発明では、第１部分の幅寸法は、第２部分の幅寸法よりも大きいため、第２部分の幅寸法を必要以上に大きくすることなく、前記１巻目の部分の幅寸法を、当該部分の耐久性を十分に確保できる寸法とすることができる。
これによれば、時計用ゼンマイが疲労破壊することを抑制し、かつ、第２部分の幅寸法が第１部分の幅寸法と同じ場合など、第２部分の幅寸法が前記最小の幅寸法よりも大きい場合と比べて、香箱の体積を小さくできる。すなわち、前記解放状態において第２部分が配置される香箱の前記軸方向の寸法を小さくできるため、香箱の体積を小さくできる。
【０００８】
本発明の時計用ゼンマイにおいて、前記第１部分の前記幅寸法は一定であることが好ましい。
本発明によれば、第１部分が一定の幅寸法で形成されていない場合と比べて、時計用ゼンマイの加工が容易となる。
【０００９】
本発明の時計用ゼンマイにおいて、前記第１部分は、前記内端部から遠ざかるに従って、前記幅寸法が小さくなるように形成されていることが好ましい。
時計用ゼンマイの巻締めおよび巻戻しに伴う前記１巻目の部分の応力変化は、内端部から遠ざかるに従って小さくなるため、前記１巻目の部分の耐久性は、内端部から遠ざかるに従って小さくなってもよい。このため、本発明では、第１部分は、内端部から遠ざかるに従って、幅寸法が小さくなるように形成されている。
本発明によれば、前記解放状態において第１部分が配置される香箱の前記軸方向の寸法を、香箱真から遠ざかるに従って小さくできるため、香箱の前記軸方向の寸法が一定の場合と比べて、香箱の体積を小さくできる。
【００１０】
本発明の時計用ゼンマイにおいて、前記時計用ゼンマイの材料は、ニッケルコバルト合金であることが好ましい。
本発明によれば、例えば、時計用ゼンマイの材料がステンレス鋼である場合と比べて、時計用ゼンマイの耐食性を向上できるため、時計用ゼンマイの耐久性をより向上できる。
【００１１】
本発明の時計用ゼンマイにおいて、前記時計用ゼンマイの材料は、ステンレス鋼であることが好ましい。
本発明によれば、例えば、時計用ゼンマイの材料がニッケルコバルト合金である場合と比べて、材料費を低減できる。
【００１２】
本発明の時計用動力装置は、上記時計用ゼンマイと、前記香箱と、を備え、前記香箱は、前記解放状態において前記第１部分が配置される第１箱部分、および、前記解放状態において前記第２部分が配置される第２箱部分を有し、前記第１箱部分の前記軸方向の寸法は、前記第２箱部分の前記軸方向の寸法よりも大きいことを特徴とする。
本発明によれば、第２箱部分の前記軸方向の寸法が、第１箱部分の前記軸方向の寸法と同じ場合と比べて、香箱の体積を小さくできる。
【００１３】
本発明の時計用ムーブメントは、上記時計用動力装置と、前記時計用動力装置によって駆動する歯車と、を備え、前記第２箱部分および前記歯車は、前記軸方向で重なっていることを特徴とする。
本発明によれば、例えば、第１箱部分および歯車が前記軸方向で重なっている場合と比べて、時計用ムーブメントの厚み寸法を小さくできる。
【００１４】
本発明の時計は、上記時計用ムーブメントを備えることを特徴とする。
本発明によれば、時計用ゼンマイが疲労破壊することを抑制できるため、時計の部品交換時期を長くできる。
【図面の簡単な説明】
【００１５】
【図１】本発明に係る第１実施形態における時計を示す断面図。
【図２】第１実施形態におけるゼンマイが巻締められた状態の動力装置を示す平面図。
【図３】第１実施形態におけるゼンマイが巻戻された状態の動力装置を示す平面図。
【図４】第１実施形態におけるゼンマイを示す図。
【図５】第１実施形態における動力装置を示す断面図。
【図６】本発明に係る第２実施形態におけるゼンマイを示す図。
【図７】第２実施形態における動力装置を示す断面図。
【図８】本発明に係る第３実施形態におけるゼンマイを示す図。
【図９】第３実施形態における動力装置を示す断面図。
【発明を実施するための形態】
【００１６】
以下、本発明に係る実施形態について、図面に基づいて説明する。
［第１実施形態］
図１は、時計１を示す断面図である。
時計１は、文字板１１の裏蓋側に、駆動機構（時計用ムーブメント）１Ａを備えている。駆動機構１Ａは、ゼンマイ（時計用ゼンマイ）３１およびゼンマイ３１を収容する香箱３２により構成された動力装置（時計用動力装置）３０を備えている。
香箱３２は、香箱真３３と、香箱真３３に取り付けられた香箱歯車３４および香箱蓋３５とを備えている。
【００１７】
ゼンマイ３１は、内端部３１１（図３参照）が香箱真３３に固定され、香箱真３３の周囲を巻開し、外端部３１２（図２参照）が香箱歯車３４の内壁３４１（図２参照）に係合している。
香箱真３３は、地板２と輪列受３に支持され、駆動機構１Ａが備える角穴車４と一体で回転するように角穴ネジ５により固定されている。角穴車４は、時計方向には回転するが反時計方向には回転しないように、コハゼ（図示省略）と噛み合っている。
なお、角穴車４を時計方向に回転しゼンマイ３１を巻く方法は、一般的な機械時計の自動巻または手巻機構と同様であるため、説明を省略する。
【００１８】
香箱歯車３４の回転は、駆動機構１Ａが備える二番車７、三番車８、四番車９、筒車１０などの歯車に伝えられる。四番車９には図示しない秒針が取り付けられ、二番車７の筒かな７Ａには図示しない分針が取り付けられ、筒車１０には図示しない時針が取り付けられる。これにより、香箱歯車３４が回転することで各指針が駆動する。
【００１９】
［動力装置の構成］
図２、図３は、動力装置３０を厚み方向から見た平面図である。なお、図２、図３では、香箱蓋３５は図示を省略している。
図２は、ゼンマイ３１が香箱３２内で巻締められた後の状態であり、図３は、ゼンマイ３１が香箱３２内で巻戻った後の状態（解放状態）である。
ゼンマイ３１の内端部３１１は、香箱真３３に固定されている。ここで、ゼンマイ３１は、幅方向が香箱真３３の軸方向に沿うように香箱真３３に固定されている。
ゼンマイ３１の外端部３１２は、香箱歯車３４の内壁３４１に形成された切り欠きに引っ掛けられたり、図示しないスリッピングアタッチメントなどを介して内壁３４１に引っ掛けられたりして、内壁３４１に係合している。
【００２０】
図２に示すように、外力によって香箱真３３を回転させることで、ゼンマイ３１は、香箱真３３に巻き締められる。
そして、香箱歯車３４の拘束状態を解放すると、香箱歯車３４が香箱真３３を軸にして回転し、図３に示すように巻戻る。
図３に示す解放状態において、内端部３１１から連続する、ゼンマイ３１の香箱真３３から１巻目の部分３１３は、前記平面視において、螺旋状に伸びている。
ここで、前記平面視において、香箱真３３の軸中心とゼンマイ３１とを結ぶ線分Ｌの、前記軸中心と内端部３１１の先端とを結ぶ線分に対する回転角度をθとした場合、１巻目の部分３１３は、前記内端部から、θが３６０度となる箇所までの部分である。
そして、ゼンマイ３１における当該１巻目の部分３１３よりも外端部３１２側の部分は、前記平面視において、香箱真３３を中心とした略同心円状に巻回している。
この１巻目の部分３１３は、巻締めおよび巻戻しに伴う変移量が他の部分と比べて大きく、応力変化が大きい。
【００２１】
［ゼンマイの構成］
ゼンマイ３１は、本実施形態では、ニッケルコバルト合金によって構成されている。なお、ゼンマイ３１は、ステンレス鋼などの他の金属により構成されていてもよい。ゼンマイ３１は、板状のゼンマイ部材に形状を付け、その後、３５０度程度の熱処理を施すことで形成される。
【００２２】
図４は、香箱３２に収容されていない、引き延ばした状態のゼンマイ３１を示す図である。
ゼンマイ３１は、内端部３１１と、１巻目の部分３１３を含む第１部分３１４と、第１部分３１４から外端部３１２まで連続する第２部分３１５と、外端部３１２とを備えている。
本実施形態では、第１部分３１４は、１巻目の部分３１３と、解放状態において略同心円状に巻回される２巻目の部分とを含んでいる。２巻目の部分は、１巻目の部分３１３から、θが７２０度となる箇所までの部分である。
【００２３】
第２部分３１５は、耐久性やトルクの基準を満たす最小の幅寸法Ｄ２で、一定の幅で形成されている。
第１部分３１４は、幅寸法Ｄ２よりも大きい幅寸法Ｄ１で、一定の幅で形成されている。具体的に、幅寸法Ｄ１は、幅寸法Ｄ２の１．５倍〜２倍の寸法である。
本実施形態では、幅寸法Ｄ２は、約１ｍｍであり、幅寸法Ｄ１は、約１．５ｍｍである。なお、ゼンマイ３１は、一定の板厚寸法で形成されており、ゼンマイ３１の板厚寸法は、約０．１ｍｍである。また、ゼンマイ３１の長さ寸法は、約３００ｍｍである。
【００２４】
また、第１部分３１４の香箱蓋３５側の外縁３１４Ｅは、第２部分３１５の香箱蓋３５側の外縁３１５Ｅと、幅方向において同じ位置に位置している。すなわち、外縁３１４Ｅと外縁３１５Ｅとは、共通の直線上に位置している。
一方、第１部分３１４の香箱蓋３５とは反対側の外縁３１４Ｆは、第２部分３１５の香箱蓋３５とは反対側の外縁３１５Ｆに対して、香箱蓋３５から離れる方向に位置している。すなわち、外縁３１４Ｆと外縁３１５Ｆとは、段差部３１６を介して繋がっている。
【００２５】
［香箱の構成］
図５は、動力装置３０を香箱真３３の軸方向と直交する方向から見た断面図である。なお、図５は、ゼンマイ３１が、解放状態にある場合を示している。
香箱３２は、円柱状に形成され、解放状態においてゼンマイ３１の第１部分３１４が配置される第１箱部分３２１と、第１箱部分３２１を囲む円筒状に形成され、解放状態においてゼンマイ３１の第２部分３１５が配置される第２箱部分３２２とを備えている。
つまり、第１箱部分３２１は、ゼンマイ３１の巻締めおよび巻戻しが行われる際に、前記平面視において、第１部分３１４が移動する移動領域と重なる部分である。第２箱部分３２２は、ゼンマイ３１の巻締めおよび巻戻しが行われる際に、前記平面視において、第２部分３１５が移動する移動領域と重なる部分である。
【００２６】
第１箱部分３２１の香箱真３３の軸方向の寸法Ｄ１１は、第１部分３１４を収容できる最小寸法とされている。また、第２箱部分３２２の香箱真３３の軸方向の寸法Ｄ１２は、第２部分３１５を収容できる最小寸法とされている。すなわち、第１部分３１４の幅寸法Ｄ１は、第２部分３１５の幅寸法Ｄ２よりも大きいため、寸法Ｄ１１は、寸法Ｄ１２よりも大きい。
また、第１箱部分３２１の裏蓋側の面３２１Ｅは、第２箱部分３２２の裏蓋側の面３２２Ｅと、香箱真３３の軸方向において同じ位置に位置している。すなわち、面３２１Ｅと面３２２Ｅとは、共通の平面上に位置している。
一方、第１箱部分３２１の文字板１１側の面３２１Ｆは、第２箱部分３２２の文字板１１側の面３２２Ｆに対して、文字板１１に近づく方向に位置している。すなわち、面３２１Ｆと面３２２Ｆとは、段差部３２３を介して繋がっている。
なお、ここで、第２箱部分３２２の文字板１１側には、図１に示すように、歯車としての２番車７の歯車部７Ｂが配置されている。すなわち、第２箱部分３２２と歯車部７Ｂとは、香箱真３３の軸方向で重なっている。
【００２７】
［第１実施形態の作用効果］
ゼンマイ３１の第１部分３１４の幅寸法Ｄ１は、第２部分３１５の幅寸法Ｄ２よりも大きい。このため、第２部分３１５の幅寸法Ｄ２を必要以上に大きくすることなく、解放状態における１巻目の部分３１３の幅寸法を、当該部分の耐久性を十分に確保できる寸法とすることができる。
これによれば、ゼンマイ３１が疲労破壊することを抑制できる。これにより、時計１の部品交換時期を長くできる。さらに、第２部分３１５の幅寸法Ｄ２が第１部分３１４の幅寸法Ｄ１と同じ場合など、第２部分３１５の幅寸法Ｄ２が耐久性やトルクの基準を満たす最小の幅寸法よりも大きい場合と比べて、香箱３２の体積を小さくできる。すなわち、香箱３２の第２箱部分３２２の寸法Ｄ１２を小さくできるため、香箱３２の体積を小さくできる。
【００２８】
また、これによれば、例えば、ゼンマイの板厚寸法を大きくして耐久性を確保する場合と比べて、ゼンマイ３１の板厚寸法を小さくできるため、ゼンマイ３１の巻数を多くでき、持続時間を長くできる。これにより、動力装置３０が発生する初期トルクと２４時間後のトルクとの変化を低減でき、等時性を向上できる。
また、例えば、ゼンマイの伸びを大きくして耐久性を確保する場合と比べて、ゼンマイ３１の硬度を高くできるため、動力装置３０が発生するトルクを向上できる。
【００２９】
第２箱部分３２２および二番車７は、香箱真３３の軸方向で重なっているため、第１箱部分３２１および二番車７が前記軸方向で重なっている場合と比べて、駆動機構１Ａの厚み寸法を小さくできる。
【００３０】
第１部分３１４は一定の幅寸法Ｄ１で形成されているため、一定の幅寸法で形成されていない場合と比べて、ゼンマイ３１の加工が容易となる。
ゼンマイ３１の材料は、ニッケルコバルト合金であるため、材料がステンレス鋼である場合と比べて、ゼンマイ３１の耐久性、トルク、耐食性を向上できる。なお、ゼンマイ３１の材料にステンレス鋼を用いた場合には、ニッケルコバルト合金を用いた場合と比べて、材料費を低減できる。
【００３１】
［第２実施形態］
第２実施形態のゼンマイ３１Ａは、図６に示すように、第１部分３１４の香箱蓋３５側の外縁３１４Ｅは、第２部分３１５の香箱蓋３５側の外縁３１５Ｅに対して、香箱蓋３５に近づく方向に位置している。すなわち、外縁３１４Ｅと外縁３１５Ｅとは、段差部３１７を介して繋がっている。ここで、段差部３１７の段差の寸法は、段差部３１６の段差の寸法と同じである。
また、第２実施形態の香箱３２Ａは、図７に示すように、第１箱部分３２１の裏蓋側の面３２１Ｅは、第２箱部分３２２の裏蓋側の面３２２Ｅに対して、裏蓋側に位置している。すなわち、面３２１Ｅと面３２２Ｅとは、段差部３２４を介して繋がっている。
なお、ゼンマイ３１Ａおよび香箱３２Ａについて、第１実施形態のゼンマイ３１および香箱３２と同様の構成については、同じ符号を付け、説明は省略する。また、第２実施形態における時計のその他の構成は、第１実施形態の時計１と同様である。
【００３２】
［第２実施形態の作用効果］
本実施形態においても、第１実施形態と同様の構成により、同様の作用効果を得ることができる。
また、駆動機構１Ａにおいて、香箱３２Ａの第２箱部分３２２の裏蓋側にも、歯車などの部品を配置できるスペースを確保できる。
【００３３】
［第３実施形態］
ゼンマイ３１の巻締めおよび巻戻しに伴う１巻目の部分３１３の応力変化は、内端部３１１から遠ざかるに従って小さくなるため、１巻目の部分３１３の耐久性は、内端部３１１から遠ざかるに従って小さくなってもよい。このため、第３実施形態のゼンマイ３１Ｂでは、図８に示すように、第１部分３１４は、内端部３１１から遠ざかるに従って、幅寸法Ｄ１が小さくなるように形成されている。
すなわち、第１部分３１４の香箱蓋３５側の外縁３１４Ｅは、内端部３１１から遠ざかるに従って、香箱蓋３５から遠ざかる方向に傾斜し、第２部分３１５の香箱蓋３５側の外縁３１５Ｅに連続している。
第１部分３１４の香箱蓋３５とは反対側の外縁３１４Ｆは、内端部３１１から遠ざかるに従って、香箱蓋３５に近づく方向に傾斜し、第２部分３１５の香箱蓋３５とは反対側の外縁３１５Ｆに連続している。すなわち、第１部分３１４は、平面形状がテーパー状とされている。
【００３４】
第３実施形態の香箱３２Ｂは、図９に示すように、第１箱部分３２１は、香箱真３３から遠ざかるに従って、香箱真３３の軸方向の寸法Ｄ１１が小さくなるように形成されている。
すなわち、第１箱部分３２１の裏蓋側の面３２１Ｅは、香箱真３３から遠ざかるに従って、文字板１１側に傾斜し、第２箱部分３２２の裏蓋側の面３２２Ｅに連続している。
第１箱部分３２１の文字板１１側の面３２１Ｆは、香箱真３３から遠ざかるに従って、裏蓋側に傾斜し、第２箱部分３２２の文字板１１側の面３２２Ｆに連続している。
なお、ゼンマイ３１Ｂおよび香箱３２Ｂについて、第１実施形態のゼンマイ３１および香箱３２と同様の構成については、同じ符号を付け、説明は省略する。また、第３実施形態における時計のその他の構成は、第１実施形態の時計１と同様である。
【００３５】
［第３実施形態の作用効果］
本実施形態においても、第１実施形態および第２実施形態と同様の構成により同様の作用効果を得ることができる。
また、第１箱部分３２１の寸法Ｄ１１は、香箱真３３から遠ざかるに従って小さくなっているため、第１箱部分３２１の寸法Ｄ１１が一定の場合と比べて、香箱３２Ｂの体積を小さくできる。
【００３６】
［他の実施形態］
なお、本発明は前述の各実施形態に限定されるものではなく、本発明の目的を達成できる範囲での変形、改良等は本発明に含まれるものである。
【００３７】
前記各実施形態では、第１部分３１４は、解放状態における１巻目の部分３１３と、２巻目の部分とを含んでいるが、本発明はこれに限定されない。
すなわち、２巻目の部分は含んでいなくてもよいし、２巻目の部分の一部のみを含んでいてもよい。ただし、２巻目の部分には、１巻目の部分と比べると小さいが応力変化があるため、２巻目の部分を幅寸法が大きい第１部分３１４に含めることで、ゼンマイ３１の疲労破壊をより確実に抑制できる。なお、２巻目の部分を第１部分３１４に含めれば、疲労破壊を十分に抑制できるため、香箱３２の体積を小さくする上で、解放状態における３巻目以降の部分は、第１部分３１４に含めずに、幅寸法が小さい第２部分３１５に含めることが好ましい。
【００３８】
前記各実施形態では、ゼンマイが解放状態にある場合に、螺旋状に伸びている部分は、１巻目の部分３１３であるが、本発明はこれに限定されない。
すなわち、螺旋状に伸びている部分が、１巻目の部分３１３より長くてもよいし、短くてもよい。例えば、１巻目の部分３１３よりも０．５巻分や１巻分長くてもよいし、１巻目の部分３１３よりも０．５巻分短くてもよい。
このような場合も、１巻目の部分３１３は、応力変化による疲労破壊が起こりやすいため、他の部分と比べて幅寸法を大きくすることが好ましい。
【００３９】
前記第１実施形態では、ゼンマイ３１の段差部３１６は、ゼンマイ３１における香箱蓋３５とは反対側にのみ形成されているが、本発明はこれに限定されない。すなわち、段差部は、ゼンマイ３１における香箱蓋３５側にのみ形成されていてもよい。
この場合、香箱３２には、段差部３２３に替えて、裏蓋側に段差部が形成される。
【００４０】
前記第３実施形態では、内端部３１１から遠ざかるに従って、第１部分３１４の幅寸法Ｄ１が徐々に小さくなるように、第１部分３１４の外縁３１４Ｅ，３１４Ｆは傾斜しているが、本発明はこれに限定されない。
すなわち、内端部３１１から遠ざかるに従って、第１部分３１４の幅寸法Ｄ１が段階的に小さくなるように、外縁３１４Ｅ，３１４Ｆが段差状に形成されていてもよい。
この場合、香箱３２において、香箱真３３から遠ざかるに従って、第１箱部分３２１の寸法Ｄ１１が段階的に小さくなるように、第１箱部分３２１の面３２１Ｅ，３２１Ｆも、段差状に形成される。
【符号の説明】
【００４１】
１…時計、１Ａ…駆動機構（時計用ムーブメント）、３０…動力装置（時計用動力装置）、３１，３１Ａ，３１Ｂ…ゼンマイ（時計用ゼンマイ）、３２，３２Ａ，３２Ｂ…香箱、３３…香箱真、３４…香箱歯車、３５…香箱蓋、３１１…内端部、３１２…外端部、３１３…１巻目の部分、３１４…第１部分、３１４Ｅ，３１４Ｆ，３１５Ｅ，３１５Ｆ…外縁、３１５…第２部分、３１６，３１７，３２３，３２４…段差部、３２１…第１箱部分、３２１Ｅ，３２１Ｆ，３２２Ｅ，３２２Ｆ…面、３２２…第２箱部分、３４１…内壁。
【図１】
0006753127.tif 000002
【図２】
0006753127.tif 000003
【図３】
0006753127.tif 000004
【図４】
0006753127.tif 000005
【図５】
0006753127.tif 000006
【図６】
0006753127.tif 000007
【図７】
0006753127.tif 000008
【図８】
0006753127.tif 000009
【図９】
0006753127.tif 000010